(57)【要約】【課題】  親局設備において、住民に対して情報を正しく伝達することができないような状況を把握することが可能な無線システムを提供する。【解決手段】  無線システムは、操作卓（２）及び基地局（１）からなる親局設備（１００）と、屋外拡声装置（４−１，４−２）及び戸別受信機（５−１，５−２）からなる子局設備（２００）とから構成される。基地局（１）は、音声放送時に屋外拡声装置（４−１，４−２）に対してＢＥＲ測定指示を行う手段（制御部１２）と、アンサーバック機能を利用して屋外拡声装置（４−１，４−２）のＢＥＲ測定結果を収集する手段（アンサーバック制御部１２１）とを有する。【選択図】      図１
2010056697.tif 000002
【特許請求の範囲】
【請求項１】
操作卓及び基地局からなる親局設備と、屋外拡声装置及び戸別受信機からなる子局設備とから構成される無線システムであって、
前記基地局は、音声放送時に前記屋外拡声装置に対してＢＥＲ（Ｂｉｔ  Ｅｒｒｏｒ  Ｒａｔｅ）測定指示を行う手段と、アンサーバック機能を利用して前記屋外拡声装置のＢＥＲ測定結果を収集する手段とを有することを特徴とする無線システム。
【請求項２】
前記親局設備は、無線通信開始時に前記子局設備に対してＢＥＲ測定ありを通達し、音声放送に続いて特定信号を一定時間、連続して送信し、
前記子局設備は、音声放送終了まで、前記親局設備から受信した音声を拡声し、前記特定信号の受信を開始したら前記音声の拡声を停止し、前記屋外拡声装置にて前記ＢＥＲ測定を行うことを特徴とする請求項１記載の無線システム。
【請求項３】
前記親局設備は、前記無線通信が終了すると、前記屋外拡声装置に対してアンサーバック要求のポーリングを行い、
前記屋外拡声装置は、前記親局設備から前記アンサーバック要求信号を受信すると、前記ＢＥＲ測定の結果を付加したアンサーバック応答信号を前記親局設備に送信することを特徴とする請求項２記載の無線システム。
【請求項４】
前記親局設備は、前記屋外拡声装置からの前記アンサーバック応答信号に付加されたＢＥＲ測定の結果の一覧表を表示することを特徴とする請求項３記載の無線システム。
【請求項５】
操作卓及び基地局からなり、屋外拡声装置及び戸別受信機からなる子局設備とともに無線システムを構成する親局設備であって、
前記基地局に、音声放送時に前記屋外拡声装置に対してＢＥＲ（Ｂｉｔ  Ｅｒｒｏｒ  Ｒａｔｅ）測定指示を行う手段と、アンサーバック機能を利用して前記屋外拡声装置のＢＥＲ測定結果を収集する手段とを有することを特徴とする親局設備。
【請求項６】
無線通信開始時に前記子局設備に対してＢＥＲ測定ありを通達し、音声放送に続いて特定信号を一定時間、連続して送信することで、前記屋外拡声装置にて前記ＢＥＲ測定を行わせることを特徴とする請求項５記載の親局設備。
【請求項７】
前記無線通信が終了すると、前記屋外拡声装置に対してアンサーバック要求のポーリングを行い、前記屋外拡声装置から前記ＢＥＲ測定の結果を付加したアンサーバック応答信号を受信することを特徴とする請求項６記載の親局設備。
【請求項８】
前記屋外拡声装置からの前記アンサーバック応答信号に付加されたＢＥＲ測定の結果の一覧表を表示することを特徴とする請求項７記載の親局設備。
【請求項９】
屋外拡声装置及び戸別受信機からなり、操作卓及び基地局からなる親局設備とともに無線システムを構成する子局設備であって、
前記屋外拡声装置に、音声放送終了まで前記親局設備から受信した音声を拡声する手段と、無線通信開始時に前記親局設備からＢＥＲ（Ｂｉｔ  Ｅｒｒｏｒ  Ｒａｔｅ）測定ありが通達され、音声放送に続いて特定信号が一定時間、連続して送信されてくることで前記音声の拡声を停止した時に前記ＢＥＲ測定を行う手段と、当該ＢＥＲ測定結果をアンサーバック機能を利用して前記親局設備に返送する手段とを有することを特徴とする子局設備。
【請求項１０】
前記屋外拡声装置は、前記親局設備から前記アンサーバック要求信号を受信すると、前記ＢＥＲ測定の結果を付加したアンサーバック応答信号を前記親局設備に送信することを特徴とする請求項９記載の子局設備。
【請求項１１】
操作卓及び基地局からなる親局設備と、屋外拡声装置及び戸別受信機からなる子局設備とから構成される無線システムに用いる自動ＢＥＲ（Ｂｉｔ  Ｅｒｒｏｒ  Ｒａｔｅ）測定方法であって、
前記基地局が、音声放送時に前記屋外拡声装置に対してＢＥＲ測定指示を行う処理と、アンサーバック機能を利用して前記屋外拡声装置のＢＥＲ測定結果を収集する処理とを実行することを特徴とする自動ＢＥＲ測定方法。
【請求項１２】
前記親局設備が、無線通信開始時に前記子局設備に対してＢＥＲ測定ありを通達し、音声放送に続いて特定信号を一定時間、連続して送信し、
前記子局設備が、音声放送終了まで、前記親局設備から受信した音声を拡声し、前記特定信号の受信を開始したら前記音声の拡声を停止し、前記屋外拡声装置にて前記ＢＥＲ測定を行うことを特徴とする請求項１１記載の自動ＢＥＲ測定方法。
【請求項１３】
前記親局設備が、無線通信が終了すると、前記屋外拡声装置に対してアンサーバック要求のポーリングを行い、
前記屋外拡声装置が、前記親局設備から前記アンサーバック要求信号を受信すると、前記ＢＥＲ測定の結果を付加したアンサーバック応答信号を前記親局設備に送信することを特徴とする請求項１２記載の自動ＢＥＲ測定方法。
【請求項１４】
前記親局設備が、前記屋外拡声装置からの前記アンサーバック応答信号に付加されたＢＥＲ測定の結果の一覧表を表示することを特徴とする請求項１３記載の自動ＢＥＲ測定方法。
【発明の詳細な説明】
【技術分野】
【０００１】
本発明は無線システム、親局設備、子局設備及びそれらに用いる自動ＢＥＲ測定方法に関し、特に操作卓及び基地局無線装置からなる親局設備、屋外拡声装置及び戸別受信機からなる子局設備から構成されるディジタル市町村防災無線システムに関する。
【背景技術】
【０００２】
本発明に関連する市町村防災無線システムは、選択呼出部、音声調整部、監視制御部、自動放送装置、通信記録装置、切換部、無線送受信装置からなる親局設備と、拡声用のスピーカを備えた子局設備とから構成されている。
【０００３】
この市町村防災無線システムでは、親局設備の無線送受信装置から送信された電波が子局設備にて受信され、拡声用のスピーカから拡声される。この放送が終了した後、親局設備では、子局設備の動作状態を確認するために監視制御部を操作することで、監視信号が選択呼出部、無線送受信装置を経由して子局設備へと送信される。子局設備では、監視信号を受信すると、この時の動作状態をアンサーバックとして無線送受信装置に返送している。
【０００４】
このように、本発明に関連する市町村防災無線システムでは、子局設備の動作状態を確認するために、監視制御部を手動で操作しなければならず、その操作の繁雑さや操作の漏れが発生することがある。
【０００５】
この問題を解決する方法としては、上記の市町村防災無線固定系システムの親局設備にアンサーバック制御部を設け、アンサーバック制御部によって放送終了後に屋外子局の監視信号を自動的に送出する方法が提案されている（例えば、特許文献１参照）。
【０００６】
これによって、市町村防災無線固定系システムでは、親局設備が屋外の子局設備の動作状態を常に把握することができる。つまり、市町村防災無線固定系システムにおいては、屋外子局の状態のアンサーバックを自動化することで、機器操作の簡略化及び確実性の高いシステム運用を図っている。
【０００７】
【特許文献１】特開平０６−１９７０６４号公報
【発明の開示】
【発明が解決しようとする課題】
【０００８】
しかしながら、現状の市町村防災無線システムでは、親局設備からの放送に対する子局設備を構成する屋外拡声装置からのアンサーバックがＯＫまたはＮＧのみの情報であり、無線回線の状態を監視することができない。
【０００９】
無線回線の状態が悪いと、拡声放送は成功しても、音質が劣化していて、住民に対して情報を正しく伝達することができない場合があるが、親局設備ではそのような状況を把握することができない。
【００１０】
そこで、本発明の目的は上記の問題点を解消し、親局設備において、住民に対して情報を正しく伝達することができないような状況を把握することができる無線システム、親局設備、子局設備及びそれらに用いる自動ＢＥＲ測定方法を提供することにある。
【課題を解決するための手段】
【００１１】
本発明による無線システムは、操作卓及び基地局からなる親局設備と、屋外拡声装置及び戸別受信機からなる子局設備とから構成される無線システムであって、
前記基地局は、音声放送時に前記屋外拡声装置に対してＢＥＲ（Ｂｉｔ  Ｅｒｒｏｒ  Ｒａｔｅ）測定指示を行う手段と、アンサーバック機能を利用して前記屋外拡声装置のＢＥＲ測定結果を収集する手段とを備えている。
【００１２】
本発明による親局設備は、操作卓及び基地局からなり、屋外拡声装置及び戸別受信機からなる子局設備とともに無線システムを構成する親局設備であって、
前記基地局に、音声放送時に前記屋外拡声装置に対してＢＥＲ（Ｂｉｔ  Ｅｒｒｏｒ  Ｒａｔｅ）測定指示を行う手段と、アンサーバック機能を利用して前記屋外拡声装置のＢＥＲ測定結果を収集する手段とを備えている。
【００１３】
本発明による子局設備は、屋外拡声装置及び戸別受信機からなり、操作卓及び基地局からなる親局設備とともに無線システムを構成する子局設備であって、
前記屋外拡声装置に、音声放送終了まで前記親局設備から受信した音声を拡声する手段と、無線通信開始時に前記親局設備からＢＥＲ（Ｂｉｔ  Ｅｒｒｏｒ  Ｒａｔｅ）測定ありが通達され、音声放送に続いて特定信号が一定時間、連続して送信されてくることで前記音声の拡声を停止した時に前記ＢＥＲ測定を行う手段と、当該ＢＥＲ測定結果をアンサーバック機能を利用して前記親局設備に返送する手段とを備えている。
【００１４】
本発明による自動ＢＥＲ測定方法は、操作卓及び基地局からなる親局設備と、屋外拡声装置及び戸別受信機からなる子局設備とから構成される無線システムに用いる自動ＢＥＲ（Ｂｉｔ  Ｅｒｒｏｒ  Ｒａｔｅ）測定方法であって、
前記基地局が、音声放送時に前記屋外拡声装置に対してＢＥＲ測定指示を行う処理と、アンサーバック機能を利用して前記屋外拡声装置のＢＥＲ測定結果を収集する処理とを実行している。
【発明の効果】
【００１５】
本発明は、上記のような構成及び動作とすることで、親局設備において、住民に対して情報を正しく伝達することができないような状況を把握することができるという効果が得られる。
【発明を実施するための最良の形態】
【００１６】
次に、本発明の実施の形態について図面を参照して説明する。まず、本発明による無線システムの概要について説明する。本発明による無線システムは、操作卓及び基地局無線装置からなる親局設備と、屋外拡声装置及び戸別受信機からなる子局設備とから構成されるディジタル市町村防災無線システムである。
【００１７】
本発明は、上記のディジタル市町村防災無線システムにおいて、親局設備が放送時に屋外拡声装置に対してＢＥＲ（Ｂｉｔ  Ｅｒｒｏｒ  Ｒａｔｅ：ビットエラーレイト）測定指示を行い、アンサーバック機能を利用してＢＥＲ測定の結果を屋外拡声装置から収集している。
【００１８】
親局設備は、無線通信開始時に子局設備に対してＢＥＲ測定ありを通達し、音声放送（例えば、上りチャイム→マイク放送→下りチャイム）に続き、ＰＮ（Ｐｓｅｕｄｏ  Ｎｏｉｓｅ  ｐａｔｔｅｒｎ：擬似ランダムパターン）９信号等を一定時間、連続して送信する。
【００１９】
子局設備は、音声放送終了まで、親局設備から受信した音声を拡声するが、ＰＮ９信号等の受信を開始したら、音声の拡声を停止し、送信部（アンサーバック機能）を保有する屋外拡声装置にてＢＥＲ測定を行う。
【００２０】
親局設備は、無線通信が終了すると、屋外拡声装置に対して、アンサーバック要求のポーリングを行う。屋外拡声装置は、親局設備からアンサーバック要求信号を受信すると、算出したＢＥＲ測定の結果を付加したアンサーバック応答信号を親局設備に送信する。
【００２１】
親局設備では、屋外拡声装置からのアンサーバック応答信号に付加されたＢＥＲ測定の結果の一覧表を表示する。これによって、本発明では、現状の問題を解決することができ、親局設備において、住民に対して情報を正しく伝達することができないような状況を把握することができる。
【００２２】
図１は本発明の実施の形態による無線システムの構成例を示すブロック図である。図１において、本発明の実施の形態による無線システムは、基地局１と操作卓２とを含む親局設備１００と、屋外拡声装置４−１，４−２及び戸別受信機５−１，５−２からなる子局設備２００とから構成されるディジタル市町村防災無線システムである。ここで、屋外拡声装置４−１，４−２は、アンテナ４１−１，４１−２と、屋外用のスピーカ４２−１，４２−２とを備えている。
【００２３】
基地局１は、操作卓２の他に表示器３が接続されており、無線通信を行うための無線送受信部１１と、制御部１２と、操作卓２からの操作情報を入力する入力部１３と、表示器３に画像情報（例えば、ＢＥＲ測定の結果の一覧表等）を出力する出力部１４と、子局設備２００に対して音声放送を行うための自動放送部１５と、子局設備２００に対する音声放送の情報や子局設備２００の動作状態（ＢＥＲ測定の結果）を記録する通信記録部１６とから構成されている。制御部１２は、屋外拡声装置に対してアンサーバック要求を行うためのアンサーバック制御部１２１を備えている。
【００２４】
図２は図１の屋外拡声装置４−１，４−２の構成例を示すブロック図である。図２において、屋外拡声装置４は、上記のアンテナ４１−１，４１−２及び屋外用のスピーカ４２−１，４２−２の他に、受信部４３と、音声拡声制御部４４と、ＢＥＲ測定部４５と、送信部（アンサーバック機能）４６とを備えている。屋外拡声装置４−１，４−２は、それぞれ屋外拡声装置４と同様の構成となっている。
【００２５】
図３は本発明の実施の形態による無線システムの動作例を示すシーケンスチャートである。これら図１〜図３を参照して本発明の実施の形態による無線システムの動作例について説明する。
【００２６】
上述した現状の問題を解決するために、親局設備１００は、無線通信開始時に、子局設備２００に対してＢＥＲ測定ありを通達する。つまり、親局設備１００では、操作卓２の操作（通信開始制御）に応答して基地局１がＢＥＲ測定ありを含む呼出を、屋外拡声装置４及び戸別受信機５に対して行う（図３のａ１〜ａ４）。
【００２７】
この後、親局設備１００は、子局設備２００に対して、音声放送（例えば、上りチャイム→マイク放送→下りチャイム等）を行う（図３のａ５）。無線通信終了時に、親局設備１００では、操作卓２の操作（通信終了制御）に応答して基地局１がＢＥＲ測定開始指示を屋外拡声装置４に送った後（図３のａ６，ａ７）、基地局１から屋外拡声装置４に対してＰＮ９信号等を一定時間、連続して送信する（図３のａ８）。
【００２８】
子局設備２００は、音声放送終了まで、親局設備１００から受信した音声を屋外用のスピーカ４２−１，４２−２にて拡声する。この後、子局設備２００は、ＰＮ９信号等の受信を開始したら、屋外用のスピーカ４２−１，４２−２による音声の拡声を停止し、屋外拡声装置４のＢＥＲ測定部４５にてＢＥＲ測定を行う。基地局１が屋外拡声装置４及び戸別受信機５に対して通信終了を送信すると（図３のａ９，ａ１０）、屋外拡声装置４は、ＢＥＲ測定部４５によるＢＥＲ測定結果を算出する（図３のａ１１）。
【００２９】
親局設備１００は、無線通信が終了すると、屋外拡声装置２００に対して、アンサーバック要求のポーリングを行う（図３のａ１２，ａ１３）。屋外拡声装置４は、親局設備１００からのアンサーバック要求信号を受信すると、算出したＢＥＲ測定結果をアンサーバック応答信号に付加して、親局設備１００に送信する（図３のａ１４，ａ１５）。
【００３０】
親局設備１００では、屋外拡声装置４からアンサーバック応答信号を受信すると、屋外拡声装置４−１，４−２でのＢＥＲ測定結果の一覧表を表示器３に表示する（図３のａ１６）。これによって、本実施の形態では、上述した現状の問題を解決することができ、親局設備１００にて、子局設備２００における住民に対して情報を正しく伝達することができないような状況を把握することができる。
【図面の簡単な説明】
【００３１】
【図１】本発明の実施の形態による無線システムの構成例を示すブロック図である。
【図２】図１の屋外拡声装置の構成例を示すブロック図である。
【図３】本発明の実施の形態による無線システムの動作例を示すシーケンスチャートである。
【符号の説明】
【００３２】
１  基地局
２  操作卓
３  表示器３
４−１，４−２  屋外拡声装置
５−１，５−２  戸別受信機
１１  無線送受信部
１２  制御部
１３  入力部
１４  出力部
１５  自動放送部
１６  通信記録部
４１−１，４１−２  アンテナ
４２−１，４２−２  屋外用のスピーカ
４３  受信部
４４  音声拡声制御部
４５  ＢＥＲ測定部
４６  送信部（アンサーバック機能）
１００  親局設備
２００  子局設備
【図１】
2010056697.tif 000003
【図２】
2010056697.tif 000004
【図３】
2010056697.tif 000005